(57)【要約】【課題】筐体のコストを低減しつつ強度を高めた照明器具を提供する。【解決手段】実施形態の照明器具は、４つの板部を有し長手方向の両端が開口された角筒形状に形成された押出成形体である筐体と、光源ユニットと、補強板とを備えている。板部のいずれかに長手方向のすべてにわたって連続して延びるスリットが形成され、板部のいずれかが短手方向に分断されている。光源ユニットは、４つの板部のいずれかの外壁に設けられ、長手方向に延在する基板と、基板上に実装された発光素子とを有する。補強板は、筐体の内部に設けられ、４つの板部のうち少なくとも対向する２つの板部の内壁に当接している。【選択図】図３
2013201022.tif 000002
【特許請求の範囲】
【請求項１】
４つの板部を有し、長手方向の両端が開口された角筒形状に形成された押出成形体である筐体であって、前記板部のいずれかに前記長手方向のすべてにわたって連続して延びるスリットが形成され、前記板部のいずれかが短手方向に分断された筐体と、
前記４つの板部のいずれかの外壁に設けられ、前記長手方向に延在する基板と、前記基板上に実装された発光素子とを有する光源ユニットと、
前記筐体の内部に設けられ、前記４つの板部のうち少なくとも対向する２つの板部の内壁に当接した補強板と、
を備えた照明器具。
【請求項２】
前記補強板は、前記光源ユニットと電気的に接続された電気配線を、前記補強板における一方の面側から他方の面側に通す配線口を有する請求項１記載の照明器具。
【請求項３】
前記電気配線は、前記配線口近傍で、前記配線口よりも外形サイズの大きな結束バンドにより結束されている請求項２記載の照明器具。
【請求項４】
前記筐体内に設けられ、前記光源ユニットと電気的に接続された電源ユニットをさらに備え、
前記補強板は、前記電源ユニットと、前記筐体の端部開口との間に設けられている請求項１〜３のいずれか１つに記載の照明器具。
【請求項５】
前記光源ユニットの基板は、前記スリットが形成された板部上に設けられている請求項１〜４のいずれか１つに記載の照明器具。
【発明の詳細な説明】
【技術分野】
【０００１】
本発明の実施形態は、例えばＬＥＤ（Light Emitting Diode）などの発光素子を光源に用いた照明器具に関する。
【背景技術】
【０００２】
例えば、室内の壁と天井とのコーナー付近に設けられ、主に壁を照らして間接照明効果を与えるライン照明器具がある。そのようなライン照明器具の筐体は長い筒状に形成されることから押出成形体により構成することができるが、中空部を有する押出成形体では強度が求められる。
【先行技術文献】
【特許文献】
【０００３】
【特許文献１】特開２０１０−１１８２７７号公報
【発明の概要】
【発明が解決しようとする課題】
【０００４】
筐体のコストを低減しつつ強度を高めた照明器具を提供する。
【課題を解決するための手段】
【０００５】
実施形態の照明器具は、４つの板部を有し、長手方向の両端が開口された角筒形状に形成された押出成形体である筐体と、光源ユニットと、補強板と、を備えている。前記筐体の前記板部のいずれかに前記長手方向のすべてにわたって連続して延びるスリットが形成され、前記板部のいずれかが短手方向に分断されている。前記光源ユニットは、前記４つの板部のいずれかの外壁に設けられ、前記長手方向に延在する基板と、前記基板上に実装された発光素子とを有する。前記補強板は、前記筐体の内部に設けられ、前記４つの板部のうち少なくとも対向する２つの板部の内壁に当接している。
【発明の効果】
【０００６】
本発明によれば、筐体のコストを低減しつつ強度を高めた照明器具を実現できる。
【図面の簡単な説明】
【０００７】
【図１】実施形態の照明器具１の外観斜視図。
【図２】図１におけるＡ−Ａ断面に対応する拡大斜視図。
【図３】照明器具１における端部開口に対して平行な断面図。
【図４】照明器具１における補強板３０、光源ユニット６０および電源ユニット７０の配置関係を表す斜視図。
【図５】照明器具１の筐体１０における端部開口に対して平行な断面図。
【図６】照明器具１の補強板３０の斜視図。
【図７】照明器具１の端部カバー５０の斜視図。
【図８】図３（ａ）に対応する断面図であり、（ａ）は補強板３０の変形例を表し、（ｂ）は補強板３０と筐体１０との固定構造の具体例を表す。
【図９】（ａ）は図８（ｂ）の変形例に対応する断面図であり、（ｂ）は補強板３０の変形例を表す斜視図。
【発明を実施するための形態】
【０００８】
以下、図面を参照し、実施形態について説明する。なお、各図面中、同じ要素には同じ符号を付している。
【０００９】
図１は、実施形態の照明器具１の外観斜視図である。
【００１０】
照明器具１の外観は、筐体１０、透光カバー４０および一対の端部カバー５０によって構成され、全体として角柱形状に形成されている。
【００１１】
図２は、図１におけるＡ−Ａ断面に対応する拡大斜視図である。なお、図２においては、図１に示す端部カバー５０の図示を省略している。  
図３（ａ）は、図２における補強板３０よりも手前側の横断面図に対応する。  
図３（ｂ）は、図２における補強板３０を取り外した状態の横断面図に対応する。
【００１２】
筐体１０、透光カバー４０および一対の端部カバー５０によって囲まれた空間内には、光源ユニット６０、電源ユニット７０および補強板３０が内蔵されている。
【００１３】
まず、筐体１０について説明する。
【００１４】
図５は、筐体１０の端部開口に対して平行な横断面図である。
【００１５】
筐体１０は、一体に設けられた４つの板部（底板部１１、一対の側板部１２、１３および天板部１４）を有し、長手方向の両端が開口された角筒形状に形成されている。底板部１１と天板部１４とは互いに平行に対向し、側板部１２と側板部１３とは互いに平行に対向している。底板部１１及び天板部１４に対して、側板部１２及び１３は垂直である。
【００１６】
筐体１０は、例えばアルミニウムなどの金属材料の押出成形体である。あるいは、筐体１０は、樹脂材料の押出成形体であってもよい。中空部を有する構造の押出成形法では、中空部を形成するための金型の部分（センターピース）を外枠部分に対して支えるため、筒状の成形品における側面にスリット１５が形成される。
【００１７】
図５に示す実施形態では、例えば天板部１４に長手方向（図５において紙面を貫く方向）のすべてにわたって連続して延びるスリット１５が形成され、天板部１４が短手方向（または幅方向）に分断されている。
【００１８】
底板部１１の内壁には、長手方向（図５において紙面を貫く方向）に連続して延びる凹形状の溝１８が形成されている。天板部１４の内壁における、溝１８に対向する部分にも長手方向に連続して延びる凹形状の溝１９が形成されている。側板部１２の内壁には２つの凹形状の溝１６及び１７が形成され、溝１６及び１７は長手方向に連続して延びている。
【００１９】
また、天板部１４と側板部１２とのコーナー部の外壁、および天板部１４と側板部１３とのコーナー部の外壁には、楔形の溝２１が形成されている。
【００２０】
図３（ａ）に示すように、天板部１４の外壁上には、光源ユニット６０が設けられている。
【００２１】
光源ユニット６０は、基板６１と発光素子６２とを有する。基板６１には図示しない配線が形成され、発光素子６２は基板６１上に実装されて配線と電気的に接続されている。
【００２２】
発光素子６２は、例えば、発光ダイオード（Light Emitting Diode：ＬＥＤ）である。ＬＥＤの活性層の材料として、例えば窒化ガリウム（ＧａＮ）系化合物半導体を用いると、波長５００ナノメータ以下の短波長光が得られる。ただし、活性層の材料は、窒化ガリウム系化合物半導体に限られるものではない。
【００２３】
また、発光素子６２としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００２４】
実施形態においては、例えば、青色光を発光するＬＥＤと、その青色光（励起光）を吸収して黄色光に変換する蛍光体を含む蛍光体層との組み合わせにより、発光素子６２は、青色光と黄色光との混合色として白色や電球色などの光を放出する。
【００２５】
基板６１は、筐体１０の長手方向に延在し、その長手方向に沿って複数の発光素子６２が実装されている。１つの基板６１と、その１つの基板６１上に搭載された複数の発光素子６２とを１つのユニット単位として、複数（例えば図４では２つ）の光源ユニット６０が、筐体１０の長手方向に沿って配列されている。なお、１つの筐体１０内に内蔵される光源ユニット６０の数は２つに限らず任意である。
【００２６】
基板６１は筐体１０の天板部１４に対して例えばネジ止めされ、スリット１５は基板６１で覆い隠されている。発光素子６２は、基板６１における天板部１４側の裏面の反対側の面上に実装されている。
【００２７】
天板部１４上には、光源ユニット６０を覆うように透光カバー４０が設けられている。透光カバー４０は、発光素子６２から放出される光に対して透過性を有する例えば樹脂材料からなる。あるいは、透光カバー４０は、光拡散性を兼ね備えていてもよい。
【００２８】
透光カバー４０は、光源ユニット６０に対して空間をあけて対向する主面部４２と、主面部４２に対して直角に一体に設けられた一対の側面部４３とを有し、主面部４２及び側面部４３は、筐体１０の長手方向に延び、筐体１０と同じ長手方向サイズを有する。
【００２９】
透光カバー４０の側面部４３の下端には、内側に突出した楔形状の突起４１が設けられている。その突起４１が、筐体１０の外壁に形成された溝２１に係合することで、透光カバー４０が筐体１０に対して固定される。発光素子６２は、筐体１０の天板部１４と透光カバー４２とで囲まれた空間内臨んでいる。
【００３０】
筐体１０内には、図３（ｂ）に示すように電源ユニット７０も内蔵されている。電源ユニット７０は、配線基板７１と、配線基板７１上に実装された回路部品７２とを有する。
【００３１】
電源ユニット７０は、スリット１５を通される図２に示す電気配線（電気ケーブル）８２を介して、光源ユニット６０と電気的に接続され、発光素子６２に電力を供給し、発光素子６２を点灯制御する。
【００３２】
電源ユニット７０は、配線基板７１を、筐体１０の側板部１２及び１３に対して平行にした状態で筐体１０内に内蔵されている。配線基板７１は、図２及び４に示すように、筐体１０の長手方向に延在している。配線基板７１の短手方向（幅方向）の両端部は、図３（ｂ）に示すように、筐体１０の内壁に形成された溝１８、１９に差し込まれている。これにより、電源ユニット７０は、図３（ｂ）において横方向の移動が規制され、筐体１０に対して位置決めされている。
【００３３】
筐体１０の長手方向の両端部には、図１に示すように、一対の端部カバー５０が設けられている。端部カバー５０は、筐体１０における長手方向の端部開口、および透光カバー４０における長手方向の端部開口を閉塞している。
【００３４】
一対の端部カバー５０は同じ構成を有し、図７には一方のみの斜視図を示す。
【００３５】
端部カバー５０における、筐体１０の内方に向けられる内面には、一対の突起部５１が設けられている。突起部５１の先端にはＵ字溝５２が形成されている。端部カバー５０が筐体１０の端部開口に嵌められた状態で、一方の突起部５１は筐体１０の側板部１２に対向し、他方の突起部５１は筐体１０の側板部１３に対向する。
【００３６】
そして、側板部１２及び１３の外側からネジを筐体１０内に差し込み、突起部５１先端のＵ字溝５２にねじ込むことで、端部カバー５０は筐体１０に対して固定される。
【００３７】
次に、筐体１０内に内蔵される補強板３０について説明する。
【００３８】
図６（ａ）は、補強板３０の斜視図を示し、図６（ｂ）は図６（ａ）における裏側から見た斜視図を示す。また、図６（ｂ）には電気配線８１も合わせて図示している。
【００３９】
補強板３０は、金属または樹脂材料からなる略四角い板状に形成されている。上端部には上方に突出する突起３３が、下端部には下方に突出する突起３４が、図６における左端部には２つの突起３１、３２が一体に設けられている。突起３３及び３４は、横方向に位置が一致している。
【００４０】
また、補強板３０における下部には、一方の面側に突出した突出部３６が一体に設けられている。突出部３６の下面は、補強板３０の下端面と面一となっている。また、補強板３０には、貫通孔として配線口３５が形成されている。
【００４１】
補強板３０は、図３（ａ）に示すように、筐体１０の端部開口もしくは横断面に対して平行な姿勢で筐体１０内に設けられ、筐体１０内の空間を長手方向に仕切る。
【００４２】
補強板３０の４縁部（辺部）のうち例えば３縁部（辺部）が、筐体１０の内壁に当接する。例えば、補強板３０の下端部が筐体１０の底板部１１の内壁に当接し、補強板３０の上端部が筐体１０の天板部１４の内壁に当接し、補強板３０の右端部が筐体１０の側板部１３の内壁に当接している。
【００４３】
補強板３０の突起３３は筐体１０の天板部１４に形成された溝１９に差し込まれ、補強板３０の突起３４は筐体１０の底板部１１に形成された溝１８に差し込まれ、補強板３０の突起３１は筐体１０の側板部１２に形成された溝１６に差し込まれ、補強板３０の突起３２は筐体１０の側板部１２に形成された溝１７に差し込まれる。これにより、補強板３０の筐体１０内における縦方向（図３（ａ）における上下方向）及び横方向（図３（ａ）における左右方向）の位置決めがなされる。
【００４４】
また、筐体１０の長手方向（図３（ａ）において紙面を貫く方向）に突出した突出部３６の下面が、底板部１１の内壁に当接する。これにより、特に薄い補強板３０に外部から力が加わっても、補強板３０が図３（ａ）において手前側に傾くことを抑制でき、補強板３０の安定した直立姿勢を維持することができる。ここで、補強板３０の直立姿勢とは、補強板３０が筐体１０の４つの内壁面に対して垂直であり、筐体１０の端部開口または横断面に対して平行である姿勢をいう。
【００４５】
なお、補強板３０における突出部３６が設けられた面の反対面側には、図２及び４に示すように、電源ユニット７０が配置されている。補強板３０は、電源ユニット７０の配線基板７１の長手方向の端部に対して、接触もしくは近接している。このため、補強板３０の図２において後方側への傾きは、電源ユニット７０によって規制される。
【００４６】
図４は、筐体１０、透光カバー４０および一対の端部カバー５０によって囲まれた空間内における、補強板３０、光源ユニット６０および電源ユニット７０の配置関係を表す斜視図である。
【００４７】
光源ユニット６０の基板６１の長手方向の端部は、筐体１０の端部開口付近に位置している。補強板３０は、筐体１０の端部開口より少し内方に入った位置に設けられ、電源ユニット７０と筐体１０の端部開口との間に設けられている。
【００４８】
したがって、筐体１０の端部開口から見て、電源ユニット７０が補強板３０によって遮蔽されている。このため、筐体１０の端部開口を通じた、電源ユニット７０における充電部等を含む回路部品７２への接触を防ぐことができ、感電あるいは回路部品７２の静電破壊を防止することができる。
【００４９】
前述したように、中空部を有する押出成形体である筐体１０にはスリット１５が形成されることから、強度不足が懸念される。例えば、筐体１０の板部の厚みを厚くすることで筐体１０の強度を高めることが可能であるが、器具全体の重量の増加、大型化、コストアップをまねく。
【００５０】
そこで、以上説明した実施形態によれば、筐体１０の内部に補強板３０を設けて、筐体１０の強度を補っている。実施形態では、補強板３０の例えば３縁部が筐体１０の内壁に当接している。これにより、押出成形体によって低コストを実現しつつ、筐体１０の強度を高めることができる。薄い筐体１０であっても、ねじれや押圧力に対する強さを付与することができ、照明器具１の小型化が図れる。
【００５１】
補強板３０は、４つの縁部のすべてが筐体１０の内壁に当接してもよい。筐体１０における４つの板部（底板部１１、天板部１４、側板部１２及び１３）のうち少なくとも対向する２つの板部の内壁に、補強板３０の縁部を当接させれば、筐体１０のつぶれを抑えて、筐体１０内空間を安定して保持することができる。
【００５２】
また、補強板３０に板バネ特性を持たせることで、その復元力を利用して、補強板３０の縁部を筐体１０の内壁に圧接させ、補強板３０を筐体１０に対して固定することができる。
【００５３】
あるいは、図８（ｂ）に示すように、補強板３０を筐体１０に対して例えばネジ止めで固定することができる。ネジ９５は、例えば筐体１０の底板部１１の外側から、底板部１１の内壁上に設けられた補強板３０の突出部３６に対してねじ込まれる。
【００５４】
また、図９（ａ）及び（ｂ）に示すように、突出部３６の下面から突出するピン３７を、底板部１１に圧入して、補強板３０を筐体１０に対して固定することもできる。
【００５５】
ネジ止めまたはピン３７による補強板３０の固定は、筐体１０に対する補強板３０の位置決めを容易にする。
【００５６】
光源ユニット６０は、図２に示す電気配線（電気ケーブル）８２によって、電源ユニット７０と電気的に接続されている。電源ユニット７０には、図２及び図６（ｂ）に示す電気配線（電気ケーブル）８１が接続されている。その電気配線８１は、補強板３０に形成された配線口３５を通されて、補強板３０における一方の面（図６（ａ）において補強板３０の後方側の面）側から、他方の面（図６（ａ）において補強板３０の手前側の面）側に導出され、図６（ａ）において補強板３０の手前側の筐体１０の端部開口に導出される。
【００５７】
そして、端部カバー５０に形成された図示しない穴もしくは開口を通じて、電気配線８１は筐体１０の外部に導出され、外部の電源と接続される。また、複数の照明器具１を長手方向に連設した構成の場合には、筐体１０の外部に導出された電気配線８１は、隣接する照明器具１と接続される。
【００５８】
また、補強板３０に貫通穴として配線口３５を形成することに限らず、図８（ａ）に示すように、補強板３０の角を切り欠いて形成された、補強板３０と筐体１０内壁との隙間を配線口３８とした構造であってもよい。
【００５９】
電気配線８１は補強板３０によって筐体１０内での引き回し位置が制限され、補強板３０はケーブルガイドとしても機能する。このため、器具内電気配線を整理化でき、組み立て性の向上や雑音低減を図ることができる。
【００６０】
また、図６（ｂ）に示すように、複数本の電気配線８１は、結束バンド９１によって結束されている。補強板３０よりも、電源ユニット７０が配設された筐体１０の内方側における配線口３５近傍で、電気配線８１は結束バンド９１によって結束されている。結束バンド９１の外形サイズ（外寸）は配線口３５よりも大きい。そのため、電気配線８１に対して、筐体１０の端部開口側（図６（ｂ）において左側）に引っ張られる力がはたらいても、結束バンド９１は補強板３０にひっかかって配線口３５をすり抜けない。これにより、電気配線８１が筐体１０の外方に過剰に引っ張られることによる、電源ユニット７０からの抜け、断線を防ぐことができる。
【００６１】
あるいは、電気配線８１を補強板３０よりも筐体１０の端部開口側（図６（ａ）における手前側）における配線口３５近傍で、結束バンド９１により結束してもよい。この場合、電気配線８１がたるむようにして、電源ユニット７０の配設空間に入り込むことを防ぐことができる。
【００６２】
あるいは、電気配線８１における配線口３５を通過する部分を、結束バンド９１で配線口３５の内壁に対して固定させてもよい。例えば、結束バンド９１を、配線口３５と、補強板３０の端部との間に巻回させて、電気配線８１を配線口３５の内壁に対して固定させることができる。あるいは、配線口３５との間で結束バンド９１を巻回するための穴を補強板３０に別途形成してもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…照明器具、１０…筐体、１１…底板部、１２，１３…側板部、１４…天板部、１５…スリット、３０…補強板、３５，３８…配線口、４０…透光カバー、５０…端部カバー、６０…光源ユニット、６１…基板、６２…発光素子、７０…電源ユニット、８１…電気配線、９１…結束バンド
【図１】
2013201022.tif 000003
【図２】
2013201022.tif 000004
【図３】
2013201022.tif 000005
【図４】
2013201022.tif 000006
【図５】
2013201022.tif 000007
【図６】
2013201022.tif 000008
【図７】
2013201022.tif 000009
【図８】
2013201022.tif 000010
【図９】
2013201022.tif 000011
【手続補正書】
【提出日】平成24年5月11日(2012.5.11)
【手続補正１】
【補正対象書類名】図面
【補正対象項目名】図１
【補正方法】変更
【補正の内容】
【図１】
2013201022.tif 000012
【手続補正２】
【補正対象書類名】図面
【補正対象項目名】図４
【補正方法】変更
【補正の内容】
【図４】
2013201022.tif 000013
【手続補正３】
【補正対象書類名】図面
【補正対象項目名】図７
【補正方法】変更
【補正の内容】
【図７】
2013201022.tif 000014